(57)【要約】【課題】高品位、高フレームレートの映像信号を記録する場合には、高解像度、高ビットレートの符号化ビットストリームを、ＲＡＩＤのように複数の記録媒体を一体の記録媒体と見せかけてストライピングすることにより転送レートを上げて破綻無く、記録することは出来ても、その中の１つを抜き取って記録されている映像を確認することは出来ず、簡便な編集が出来なかった。【解決手段】所定の映像信号を階層型符号化する階層型映像信号符号化手段３と、前記階層型映像信号符号化手段３の階層数と少なくとも同数の着脱可能な記録媒体１５、１６とを有し、前記階層型映像信号符号化手段３から出力される階層毎の符号化ビットストリームを夫々別の前記着脱可能な記録媒体１５、１６に記録する。【選択図】  図１
2004320502.tif 000002
【特許請求の範囲】
【請求項１】
所定の映像信号を階層型符号化する階層型映像信号符号化手段と、前記階層型映像信号符号化手段の階層数と少なくとも同数の着脱可能な記録媒体とを有し、前記階層型映像信号符号化手段から出力される階層毎の符号化ビットストリームを夫々別の前記着脱可能な記録媒体に記録することを特徴とする撮影装置。
【請求項２】
映像を撮像して映像信号を出力する撮像手段と、前記撮像手段から出力される映像信号に信号処理を行い、デジタル映像信号を出力する映像信号処理手段と、前記映像信号処理手段から出力されるデジタル映像信号を階層型符号化する階層型映像信号符号化手段と、前記階層型映像信号符号化手段から出力される階層毎の符号化ビットストリームを所定のファイル形式でファイル生成する映像ファイル生成手段と、音声を電気信号に変え音声信号を出力するマイクと、前記マイクから出力される音声信号に信号処理を行い、デジタル音声信号を出力する音声信号処理手段と、前記音声信号処理手段から出力されるデジタル音声信号を符号化する音声信号符号化手段と、前記音声信号符号化手段から出力される音声符号化ビットストリームを所定のファイル形式でファイル生成する音声ファイル生成手段と、前記各階層の映像ファイルと音声ファイルを管理するファイル管理手段と、前記ファイル管理手段で管理されるファイル管理情報を基に、前記映像ファイルと音声ファイルを一括管理する索引ファイルを所定のファイル形式で生成する索引ファイル生成手段と、前記各階層の映像ファイル、音声ファイル、索引ファイルの各ファイルを所定の記録媒体に記録するように各ファイルのデータ記録を制御する記録制御手段と、前記階層型映像信号符号化手段の階層数と少なくとも同数の着脱可能な記録媒体を装填する装填手段とを有し、前記階層型映像信号符号化手段から出力される階層毎の符号化ビットストリームの映像ファイルを前記装填手段に装填された夫々別の着脱可能な記録媒体に記録することを特徴とする撮影装置。
【請求項３】
記録制御手段は、音声ファイルと下位層の符号化ビットストリームであるベースレイヤビットストリームの映像ファイルとを同一の記録媒体に記録するように各ファイルのデータ記録を制御することを特徴とする請求項２記載の撮影装置。
【請求項４】
記録制御手段は、索引ファイルと下位層の符号化ビットストリームであるベースレイヤビットストリームの映像ファイルとを同一の記録媒体に記録するように各ファイルのデータ記録を制御することを特徴とする請求項２記載の撮影装置。
【請求項５】
記録制御手段は、音声ファイルと索引ファイルと下位層の符号化ビットストリームであるベースレイヤビットストリームの映像ファイルとを同一の記録媒体に記録するように各ファイルのデータ記録を制御することを特徴とする請求項２記載の撮影装置。
【請求項６】
索引ファイルは、少なくとも、個々の着脱可能な記録媒体を特定可能とする記録媒体のメディアＩＤ、階層関係及び相関する映像ファイルを特定可能とする映像ファイルのファイルＩＤ、及び、音声ファイルを特定可能とする音声ファイルのファイルＩＤが一括りにされて、下位層の符号化ビットストリームであるベースレイヤビットストリームの映像ファイル毎に、個々に管理されていることを特徴とする請求項２記載の撮影装置。
【請求項７】
映像ファイル生成手段、音声ファイル生成手段は、１連続記録を単位とするファイル単位でファイルを生成することを特徴とする請求項２記載の撮影装置。
【請求項８】
階層型映像信号符号化手段は、空間軸方向に階層型符号化することを特徴とする請求項１、２記載の撮影装置。
【請求項９】
着脱可能な記録媒体は、ＰＣカード規格、もしくは、各種メモリカード規格に準拠していることを特徴とする請求項１、２記載の撮影装置。
【請求項１０】
装填手段は、種類の異なるカードスロットを設けて、ＰＣカード規格に準拠したタイプの異なるＰＣカード、及び、各種メモリカード規格に準拠したメモリカードを着脱可能とすることを特徴とする請求項２記載の撮影装置。
【請求項１１】
着脱可能な記録媒体の１つとして、複数のメモリカードを内蔵しているメモリカードパックを用いていることを特徴とする請求項１、２記載の撮影装置。
【請求項１２】
記録制御手段は、記録媒体のＥＣＣブロック単位や消去単位等をクラスタ単位としたクラスタの整数倍を基本単位とした基本単位毎に、データを記録媒体に記録し、着脱可能な記録媒体が複数のメモリカードを内蔵しているメモリカードパックである場合には、メモリカードパック内に内蔵されているメモリカードの数と同数のクラスタの数が記録制御手段での記録の基本単位となることを特徴とする請求項２記載の撮影装置。
【発明の詳細な説明】
【０００１】
【発明の属する技術分野】
本発明は、複数の着脱可能な記録媒体を装填可能な撮影装置に関する。
【０００２】
【従来の技術】
近年、パーソナルコンピュータ上での画像編集などノンリニア編集が盛んに行われるようになってきており、それに伴って、ランダムアクセス出来る記録媒体の発展も目覚しく、様々な装置に利用されるようになってきている。そのような中、従来の磁気テープに代わって、磁気ディスク、光磁気ディスク、光ディスクに映像信号を記録する撮影装置が考案されており、更に、それらを内蔵したカード状記録媒体が着脱可能な撮影装置も考案されている。
【０００３】
以下に、光磁気ディスクを用いた撮影装置について説明する。
【０００４】
従来の光磁気ディスク装置を内蔵した撮影装置としては、特開平７−２５５０２８号公報に記載されたものが知られている。
【０００５】
図６は、従来の撮影装置のブロック構成図である。
【０００６】
図６において、１は光学レンズ、絞り、及び、ＣＣＤ等の撮像素子からなる撮像手段、２は撮像手段１から出力された映像信号を増幅・調整処理するプロセスアンプ、及び、プロセスアンプから出力された映像信号をデジタル信号に変換するＡ／Ｄコンバータからなる映像信号処理手段、１０００は映像信号処理手段２から出力されたデジタルの映像信号を符号化してデータ圧縮する映像信号符号化手段、４はマイクであり、５はマイク４から出力された音声信号を増幅するアンプ、及び、アンプから出力された音声信号をデジタル信号に変換するＡ／Ｄコンバータからなる音声信号処理手段、６は音声信号処理手段５から出力されたデジタルの音声信号を符号化してデータ圧縮する音声信号符号化手段、１００１は映像信号符号化手段１０００と音声信号符号化手段６から出力される映像と音声の符号化ビットストリームを光磁気ディスク等の記録媒体に記録する記録手段である。
【０００７】
以上のように構成された従来の撮影装置について、以下その動作について説明する。
【０００８】
先ず、撮像手段１にある光学レンズを通して入射した映像光が撮像素子で電気信号に変換され、撮像素子から出力された映像信号は映像信号処理手段２にあるプロセスアンプに送られ、増幅・調整処理される。そして、プロセスアンプから出力された映像信号はＡ／Ｄコンバータに送られてデジタル信号に変換され、次に、そのデジタル映像信号は、映像信号符号化手段１０００に送られ、所定の方式により符号化が為される。そして、符号化された映像信号が記録手段１００１に送られ、光磁気ディスク等に符号化ビットストリームが記録される。
【０００９】
同様に、マイク４を通して入力された音声が電気信号に変換され、マイクから出力された音声信号は音声信号処理手段５にあるアンプに送られ、増幅処理される。そして、アンプから出力された音声信号はＡ／Ｄコンバータに送られてデジタル信号に変換され、次に、そのデジタル音声信号は、音声信号符号化手段６に送られ、所定の方式により符号化が為される。そして、符号化された音声信号が記録手段１００１に送られ、光磁気ディスク等に符号化ビットストリームが記録される。
【００１０】
更に、記録媒体を着脱可能にした撮影装置としては、特開平８−１６３４８７号公報に記載されたものが知られている。
【００１１】
この従来例では、カード状記録媒体がカードスロットに着脱可能に装填される撮影装置について述べられている。
【００１２】
従来の磁気テープを用いた撮影装置や、前記の光磁気ディスクを用いた撮影装置における記録手段自体が着脱可能となり、撮影装置自体には磁気テープや光磁気ディスクを駆動するドライブ部分が無く、代わりに複数のカード状記録媒体を装填可能とする撮影装置が述べられている。
【００１３】
【特許文献１】
特開平７−２５５０２８号公報（段落番号０００９）
【特許文献２】
特開平８−１６３４８７号公報（段落番号００２８）
【００１４】
【発明が解決しようとする課題】
しかしながら、以上のような構成を有する撮影装置においては、１つの映像信号に対して１つの符号化ビットストリームを１つの記録媒体に記録する場合についてしか述べられておらず、複数の記録媒体を装填した場合にも、同一の符号化ビットストリームが夫々の記録媒体に同時に記録されたり、記録媒体間で記録内容を移動や複写したりしているだけであって、高品位、高フレームレートの映像信号を記録する場合には、高解像度、高ビットレートの符号化ビットストリームを、ＲＡＩＤのように複数の記録媒体を一体の記録媒体と見せかけてストライピングする事により転送レートを上げて破綻無く、記録することは出来ても、その中の１つを抜き取って記録されている映像を確認することは出来ず、パーソナルコンピュータなどの外部の編集装置で編集リストを作ることは出来なかった。
【００１５】
以上のことから、本発明は、複数の着脱可能な記録媒体に映像信号の符号化ビットストリームを記録しても、その中の１つを抜き取るだけで、記録した映像を確認することが出来、簡便にパーソナルコンピュータなどの外部の編集装置で編集リストを作ることが出来る撮影装置の提供を目的とする。
【００１６】
【課題を解決するための手段】
これらの課題を解決するために本発明の撮影装置は、映像を撮像して映像信号を出力する撮像手段と、前記撮像手段から出力される映像信号に信号処理を行い、デジタル映像信号を出力する映像信号処理手段と、前記映像信号処理手段から出力されるデジタル映像信号を階層型符号化する階層型映像信号符号化手段と、前記階層型映像信号符号化手段から出力される階層毎の符号化ビットストリームを所定のファイル形式でファイル生成する映像ファイル生成手段と、音声を電気信号に変え音声信号を出力するマイクと、前記マイクから出力される音声信号に信号処理を行い、デジタル音声信号を出力する音声信号処理手段と、前記音声信号処理手段から出力されるデジタル音声信号を符号化する音声信号符号化手段と、前記音声信号符号化手段から出力される音声符号化ビットストリームを所定のファイル形式でファイル生成する音声ファイル生成手段と、前記各階層の映像ファイルと音声ファイルを管理するファイル管理手段と、前記ファイル管理手段で管理されるファイル管理情報を基に、前記映像ファイルと音声ファイルを一括管理する索引ファイルを所定のファイル形式で生成する索引ファイル生成手段と、前記各階層の映像ファイル、音声ファイル、索引ファイルの各ファイルを所定の記録媒体に記録するように各ファイルのデータ記録を制御する記録制御手段と、前記階層型映像信号符号化手段の階層数と少なくとも同数の着脱可能な記録媒体を装填する装填手段とを有し、前記階層型映像信号符号化手段から出力される階層毎の符号化ビットストリームの映像ファイルを前記装填手段に装填された夫々別の着脱可能な記録媒体に記録することを特徴としたものである。
【００１７】
この構成によって、前記階層型映像信号符号化手段から出力される階層毎の符号化ビットストリームの映像ファイルを前記装填手段に装填された夫々別の着脱可能な記録媒体に記録することにより、ベースレイヤビットストリームの映像ファイルが記録された記録媒体を抜き取るだけで、記録した映像を確認することが出来、簡便に、パーソナルコンピュータなどの外部の編集装置で編集リストを作ることが出来る撮影装置を提供することが出来る。
【００１８】
また、ベースレイヤビットストリームの映像ファイルが記録された記録媒体に、合わせて音声ファイルを記録することにより、音声も考慮に入れながら、パーソナルコンピュータなどの外部の編集装置で編集リストを作ることが出来る撮影装置を提供することが出来る。
【００１９】
また、ベースレイヤビットストリームの映像ファイルが記録された記録媒体に、合わせて索引ファイルを記録することにより、所望の解像度の再生映像まで含めて、パーソナルコンピュータなどの外部の編集装置で編集リストを作ることが出来る撮影装置を提供することが出来る。
【００２０】
更に、ベースレイヤビットストリームの映像ファイルが記録された記録媒体に、合わせて音声ファイルと索引ファイルを記録することにより、音声を考慮しながら、所望の解像度の再生映像まで含めて、パーソナルコンピュータなどの外部の編集装置で編集リストを作ることが出来る撮影装置を提供することが出来る。
【００２１】
【発明の実施の形態】
以下、本発明の実施の形態について、図１〜５を用いて説明する。
【００２２】
（実施の形態１）
図１は本発明の実施の形態１における撮影装置のブロック構成図である。ここでは簡単のため、２つの着脱可能な記録媒体に記録する場合についてその動作、処理を説明する。
【００２３】
本発明の実施の形態１の撮影装置は、撮像手段１、映像信号処理手段２、階層型映像信号符号化手段３、マイク４、音声信号処理手段５、音声信号符号化手段６、ファイル管理手段７、第１の映像ファイル生成手段８、第２の映像ファイル生成手段９、音声ファイル生成手段１０、索引ファイル生成手段１１、記録制御手段１２、第１の装填手段１３、第２の装填手段１４、第１の記録媒体１５、及び、第２の記録媒体１６を備える。
【００２４】
先ず、撮像手段１において光信号が撮像素子により電気信号に変換され、その後、映像信号処理手段２に入力される。映像信号処理手段２ではガンマ処理や、ニー処理等の信号処理が施され、デジタル映像信号として出力される。映像信号処理手段２から出力された原映像のデジタル映像信号である高サンプリングレート映像信号１００は、階層型映像信号符号化手段３に入力され、所定の階層型符号化が行われる。階層型映像信号符号化手段３では、所定の階層型符号化により、低解像度の映像を単独で復号化して再生可能なベースレイヤビットストリーム１０１とベースレイヤビットストリーム１０１を参照して復号化し、再生可能な高解像度の映像を得るエンハンスメントレイヤビットストリーム１０２を出力する。
【００２５】
階層型映像信号符号化手段３から出力されたベースレイヤビットストリーム１０１とエンハンスメントレイヤビットストリーム１０２は、夫々、ファイル管理手段７により管理されるファイル管理情報と共に、１連続記録を１クリップとするファイル単位で、第１及び第２の映像ファイル生成手段８、９により所定のファイル形式のファイルが生成される。第１の映像ファイル生成手段８ではベースレイヤビットストリーム１０１が格納されるベース映像ファイルを生成し、第２の映像ファイル生成手段９ではエンハンスメントレイヤビットストリーム１０２が格納されるエンハンスメント映像ファイルを生成する。
【００２６】
一方、マイク４において音声が電気信号に変換され、マイク４から出力された音声信号が音声信号処理手段５に入力される。音声信号処理手段５では、マイク４から出力された音声信号をアンプにて増幅し、アンプから出力された音声信号はＡ／Ｄコンバータに入力されてデジタル信号に変換される。音声信号処理手段５から出力されたデジタル音声信号は、音声信号符号化手段６に入力され、例えば、ＭＰＥＧオーディオ、ＡＣ−３等の所定の方式により符号化が為されて、音声符号化ビットストリームを出力する。
【００２７】
音声信号符号化手段６から出力された音声符号化ビットストリームは、ファイル管理手段７により管理されるファイル管理情報と共に、１連続記録を１クリップとするファイル単位で、音声ファイル生成手段１０により所定のファイル形式の音声ファイルが生成される。
【００２８】
また、ファイル管理手段７により管理されるファイル管理情報を基に、１クリップを形成するのに必要な各映像ファイル、音声ファイルを索引出来るように、必要な情報を一括りにしてクリップ毎に管理する索引ファイルが索引ファイル生成手段１１により所定のファイル形式で生成される。
【００２９】
各ファイル生成手段８、９、１０、１１で生成される映像、音声、索引の各ファイルのデータは、記録制御手段１２に入力され、各ファイルのデータの記録が制御される。記録制御手段１２に入力されるベース映像ファイルと音声ファイル、及び、索引ファイルの各ファイルのデータは、記録媒体のＥＣＣブロック単位や消去単位等をクラスタ単位としたクラスタの整数倍を基本単位として、時分割にインターリーブされて、第１の装填手段１３を介して第１の記録媒体１５に記録され、エンハンスメント映像ファイルのファイルのデータは、基本単位毎に、第２の装填手段１４を介して第２の記録媒体１６に記録される。
【００３０】
第１及び第２の記録媒体１５、１６は、撮影装置に着脱可能に構成された任意の記録媒体であり、例えば、ＰＣカード型ハードディスクドライブやメモリカード等のカード状記録媒体、または、大容量化、高速化を図って複数のメモリカードを内蔵させたメモリカードパック等である。そして、例えば、記録媒体がメモリカードパックである場合、メモリカードパック内に内蔵されているメモリカードの数と同数のクラスタの数が記録制御手段１２での記録の基本単位となる。
【００３１】
ファイル管理手段７は、ＦＡＴ３２等のファイルシステムによりファイルを管理し、ファイル管理情報とは、個々の着脱可能な記録媒体を特定可能とする記録媒体のメディアＩＤ、階層関係及び相関する映像ファイルを特定可能とする映像ファイルのファイルＩＤ、及び、音声ファイルを特定可能とする音声ファイルのファイルＩＤ、各ファイル内にあるフレームを特定可能とするフレームＩＤ、及び、各ファイルのファイル容量等である。
【００３２】
第１及び第２の映像ファイル生成手段８、９、音声ファイル生成手段１０では、素材交換ファイル形式であるＭＸＦ（Ｍａｔｅｒｉａｌ  ｅＸｃｈａｎｇｅ  Ｆｏｒｍａｔ）やＡＶＩ、ＷＡＶ等のファイル形式でファイルを生成し、索引ファイル生成手段１１では、テキストファイル形式やＣＳＶ（Ｃｏｍｍａ  Ｓｅｐａｒａｔｅｄ  Ｖａｌｕｅ）ファイル形式等のファイル形式でファイルを生成する。
【００３３】
図２は階層型映像信号符号化手段３の内部のブロック構成図である。
【００３４】
階層型映像信号符号化手段３は、ダウンコンバート手段２０、下位層符号化手段２１、アップコンバート手段２２、上位層符号化手段２３を備える。これらの構成要素は、以下に示すように、階層型符号化の一種であるＭＰＥＧ２規格に準拠した空間スケーラブル符号化処理を行う。
【００３５】
ダウンコンバート手段２０は、映像信号処理手段２から出力される原映像のデジタル映像信号である高サンプリングレート映像信号１００に対して所定のサンプリングレート変換を行い、低サンプリングレート映像信号２００を求める。低サンプリングレート映像信号２００は、例えば、高サンプリングレート映像信号１００に対して、フレーム内で水平方向と垂直方向とに夫々ダウンサンプリングフィルタを適用することにより求められる。下位層符号化手段２１は、低サンプリングレート映像信号２００に対して、ＭＰＥＧ２空間スケーラブル符号化の下位層の符号化処理を行い、符号化結果であるベースレイヤビットストリーム１０１を出力する。同時に、下位層符号化手段２１は、ベースレイヤビットストリーム１０１を復号化した映像信号であるローカル復号化結果２０１を出力する。
【００３６】
アップコンバート手段２２は、ローカル復号化結果２０１を高サンプリングレート映像信号１００と同じサンプリングレートに変換したアップサンプリング映像信号２０２を求める。アップサンプリング映像信号２０２は、例えば、ローカル復号化結果２０１に対して、フレーム内で水平方向と垂直方向とに夫々アップサンプリングフィルタを適用することにより求められる。上位層符号化手段２３は、高サンプリングレート映像信号１００とアップサンプリング映像信号２０２とに対して、ＭＰＥＧ２空間スケーラブル符号化の上位層の符号化処理を行い、符号化結果であるエンハンスメントレイヤビットストリーム１０２を出力する。
【００３７】
図３〜５は、パーソナルコンピュータなどの外部の編集装置での編集作業を説明する図であり、図３は第１及び第２の記録媒体１５、１６における記録内容の模式図、図４は索引ファイルの内容の一例を示す模式図、図５は編集リストの一例を示す図である。
【００３８】
図３に示すように、第１の記録媒体１５には、ベース映像ファイル、音声ファイル、及び、索引ファイルの各ファイルが記録されており、第２の記録媒体１６にはエンハンスメント映像ファイルが記録されている。各ファイルは、記録媒体毎に、所定のファイルシステムにより管理されている。
【００３９】
索引ファイルの中には、メディア１、メディア２等の記録媒体のメディアＩＤ、ベース映像ファイル１、２、３…、音声ファイル１、２、３…、エンハンスメント映像ファイル１、２、３…等の各ファイルのファイルＩＤが、クリップ毎に一括りにされて図４に示すように記録されている。
【００４０】
編集装置では、先ず、第１の記録媒体１５が挿入され、索引ファイルが読み出されて、各クリップの映像と音声を確認出来る映像と音声の各ファイルが特定される。編集者は、簡便に取り扱うことのできるベース映像ファイルから再生される低解像度の映像と音声ファイルから再生される音声を、クリップ毎に視聴しながら、各クリップが必要かどうかＯＫ／ＮＧを判断し、所望のストーリーに合うように各クリップの再生順序も考慮しながら、図５に示されるような編集リストを作成する。作成された編集リストは、テキストファイルなど所定のファイル形式で、編集装置により第１の記録媒体１５に記録され（図示せず）、再生時には、この編集リストに則って再生が為される。
【００４１】
再生時には、第１及び第２の記録媒体１５、１６の両方を用いて、編集リストの再生順序に従って、必要なクリップが再生される。各クリップは、索引ファイルに記載されて、一括管理されているクリップ毎の映像と音声のファイルを夫々復号、再生する。再生される映像は、ベース映像ファイルとエンハンスメント映像ファイルに格納されているベースレイヤビットストリームとエンハンスメントビットレイヤストリームを用いて、階層型復号化され、所望の解像度の再生映像が再生される。
【００４２】
以上のように本実施の形態によれば、原映像のデジタル映像信号を階層型符号化し、各階層毎に異なる記録媒体に記録することにより、複数の着脱可能な記録媒体に映像信号の符号化ビットストリームの映像ファイルを記録しても、独立に再生可能な低解像度のベースレイヤビットストリームの映像ファイルを記録した記録媒体を抜き取るだけで、記録した映像を確認することが出来、音声ファイルと、１連続記録のクリップ毎に各階層の映像ファイルと音声ファイルを索引できる索引ファイルとをベースレイヤビットストリームの映像ファイルが記録されている記録媒体に合わせて記録することにより、合わせて音声も確認することが出来、取り扱いに簡便な低解像度の再生映像を確認するだけで、所望の解像度の再生映像まで含めて、パーソナルコンピュータ等の外部の編集装置で編集リストを作ることが出来る。
【００４３】
また、記録映像の再生時には、階層型符号化の階層数に応じて、所望の解像度を選択出来るという利点も有する。
【００４４】
尚、本実施例においては、ＭＰＥＧ２規格に準拠した空間スケーラブル符号化処理を行ったが、同様の階層型符号化が行える規格であれば如何なる規格でも良く、例えば、ＭＰＥＧ４、ＪＰＥＧ２０００、Ｍｏｔｉｏｎ  ＪＰＥＧ２０００等の規格でも良い。
【００４５】
また、装填手段は、種類の異なるカードスロットを設けて、タイプの異なるカード状記録媒体を着脱可能とする構成としても良い。例えば、高解像度の再生映像を得る為のエンハンスメントレイヤビットストリームをＰＣカード  ＴＹＰＥ１、ＴＹＰＥ２、もしくは、ＴＹＰＥ３の形状をした大容量、高転送速度のメモリカードパックに記録し、低解像度の再生映像が得られるベースレイヤビットストリームを切手サイズの比較的容量の小さいＳＤメモリカード等のメモリカードに記録する等の方法が考えられる。
【００４６】
更に、本実施例においては、階層型符号化は２階層について述べたが、より多くの階層を持つ多階層の階層型符号化であっても良い。
【００４７】
また、記録媒体は、ＰＣＩバスなどの汎用バスに設けられた複数の装填手段に着脱する構成としても良い。
【００４８】
【発明の効果】
以上説明したように、本発明によれば、原映像のデジタル映像信号を階層型符号化し、階層毎に異なる記録媒体に記録することにより、複数の着脱可能な記録媒体に高品位、高フレームレートの映像信号の符号化ビットストリームを分けて記録しても、その中の１つを抜き取るだけで、記録した映像を確認することが出来、簡便にパーソナルコンピュータなどの外部の編集装置で編集リストを作ることが出来るという顕著な効果が得られる。
【図面の簡単な説明】
【図１】本発明の（実施の形態１）における撮影装置のブロック構成図
【図２】本発明における階層型映像信号符号化手段の内部のブロック構成図
【図３】本発明の第１及び第２の記録媒体における記録内容の模式図
【図４】本発明における索引ファイルの内容の一例を示す模式図
【図５】編集リストの一例を示す図
【図６】従来の撮影装置のブロック構成図
【符号の説明】
１  撮像手段
２  映像信号処理手段
３  階層型映像信号符号化手段
４  マイク
５  音声信号処理手段
６  音声信号符号化手段
７  ファイル管理手段
８  第１の映像ファイル生成手段
９  第２の映像ファイル生成手段
１０  音声ファイル生成手段
１１  索引ファイル生成手段
１２  記録制御手段
１３  第１の装填手段
１４  第２の装填手段
１５  第１の記録媒体
１６  第２の記録媒体
２０  ダウンコンバート手段
２１  下位層符号化手段
２２  アップコンバート手段
２３  上位層符号化手段
１００  高サンプリングレート映像信号
１０１  ベースレイヤビットストリーム
１０２  エンハンスメントレイヤビットストリーム
２００  低サンプリングレート映像信号
２０１  ローカル復号化結果
２０２  アップサンプリング映像信号
１０００  映像信号符号化手段
１００１  記録手段
【図１】
2004320502.tif 000003
【図２】
2004320502.tif 000004
【図３】
2004320502.tif 000005
【図４】
2004320502.tif 000006
【図５】
2004320502.tif 000007
【図６】
2004320502.tif 000008